(57)【要約】【課題】  単純な構造で、コンパクトに構成する。【解決手段】  上下方向に立設される下側材６に、上下方向に対し４５度傾いた軸線１０回りに回転可能に上側材８を結合する。上側材８に座面１９を取り付け、上側材８の軸線が上下方向に対し直角方向に延びている状態、または上側材８の軸線が上下方向に延びている状態のうちのいずれか一方の状態で座面１９が着座可能姿勢になるようにする。これにより、上側材を下側材６に対し回転すると、座面１９を着座可能姿勢に対し直角をなす折り畳み姿勢とすることができる。【選択図】    図４
2006247228.tif 000002
【特許請求の範囲】
【請求項１】
上下方向に立設される下側材と、前記下側材が上下方向に立設されている状態において、上下方向に対し４５度傾いた軸線回りに回転可能に前記下側材に結合された上側材と、この上側材に取り付けられた座面とを有してなり、
前記下側材が上下方向に立設されている状態において、前記上側材の軸線が上下方向に対し直角方向に延びているとき、または上下方向に延びているときに、前記座面が、座ることが可能になる着座可能姿勢となるようになっている折り畳み式椅子。
【請求項２】
前記下側材の上端および前記上側材の一端は、互いに摺接されている請求項１記載の折り畳み式椅子。
【請求項３】
前記下側材に設けられた第一の回転止め穴および第二の回転止め穴と、前記上側材に設けられた棒挿通穴と、前記上側材に、一定範囲内において該上側材の軸線と平行方向に移動可能に支持された回転止め棒と、この回転止め棒を前記下側材に向かって付勢するばねとをさらに有し、
前記下側材が上下方向に立設されている状態において、前記上側材の軸線が上下方向に対し直角方向に延びているときは、前記棒挿通穴と前記第一の回転止め穴の位置が互いに一致した状態になる一方、前記上側材の軸線が上下方向に延びているときは、前記棒挿通穴と前記第二の回転止め穴の位置が互いに一致した状態になるようになっており、前記回転止め棒は、各穴の位置が互いに一致したときに、前記棒挿通穴および前記第一の回転止め穴の双方または前記棒挿通穴および前記第二の回転止め穴の双方に挿入可能となるようになっている請求項１または２記載の折り畳み式椅子。
【請求項４】
前記第一および第二の回転止め穴は前記下側材の上端を構成する前記下側材の天井面部に設けられており、前記棒挿通穴は前記上側材の一端を構成する前記上側材の底面部に設けられている請求項３記載の折り畳み式椅子。
【請求項５】
下側材は床面に対して移動可能とされている請求項１乃至４のいずれかに記載の折り畳み式椅子。
【発明の詳細な説明】
【技術分野】
【０００１】
本発明は折り畳み式椅子に係り、特に、漁船、レジャーボート等の小型船舶、パチンコ店、飲食店等の椅子として好適な折り畳み式椅子に関する。
【背景技術】
【０００２】
漁船、プレジャーボート等の小型船舶においては、スペースが限られているため、椅子を常に着座可能な固定的な構成とすると、椅子の存在が邪魔になることがある。このため、従来より、小型船舶用の椅子として、随時折り畳み可能な折り畳み式椅子が提案されている（例えば、特許文献１および２参照）。
【特許文献１】特開平２−２８６１０４号公報
【特許文献１】特開平３−７３１０７号公報
【発明の開示】
【発明が解決しようとする課題】
【０００３】
しかしながら、従来の船舶用の折り畳み式椅子は、構造が複雑で大型化するという問題があった。また、単に折り畳みできるのみで、不使用時に邪魔にならない位置に移動することは不可能であった。
【０００４】
本発明は、このような従来の事情に鑑みてなされたもので、本発明の一つの目的は、単純な構造で、コンパクトに構成することができ、小型船舶等に好適な畳み式椅子を提供することにある。
【０００５】
本発明の他の目的は、単に折り畳みできるのみならず、不使用時には邪魔にならない位置に移動することもできる折り畳み式椅子を提供することにある。
【０００６】
本発明のさらに他の目的は、以下の説明から明らかになろう。
【課題を解決するための手段】
【０００７】
本発明による折り畳み式椅子は、上下方向（理想状態では鉛直方向）に立設される下側材と、前記下側材が上下方向に立設されている状態において、上下方向に対し４５度傾いた軸線回りに回転可能に前記下側材に結合された上側材と、この上側材に取り付けられた座面とを有してなり、
前記下側材が上下方向に立設されている状態において、前記上側材の軸線が上下方向に対し直角方向（理想状態では水平方向）に延びているとき、または上下方向に延びているときに、前記座面が、座ることが可能になる着座可能姿勢となるようになっているものである。
【０００８】
本発明においては、例えば、上側材の軸線が上下方向に対し直角方向に延びているときに、座面が、座ることが可能になる着座可能姿勢となるようにしておく。そして、椅子を使用するときは、上側材の軸線が上下方向に対し直角方向となる状態とすることにより、座面を着座姿勢にする。他方、椅子を折り畳みたいときは、上側材の軸線が上下方向になるまで、下側材に対し上側材を前記上下方向に対し４５度傾いた軸線回りに回転させる。すると、座面は着座可能姿勢に対し直角をなす折り畳み姿勢になる。
【０００９】
なお、逆に、上側材の軸線が上下方向に延びているときに、座面が、座ることが可能になる着座可能姿勢となる一方、上側材の軸線が上下方向に対し直角方向に延びているときに、座面が着座可能姿勢になるようにしてもよい。
【００１０】
また、下側材を床面に対して移動可能とすれば、単に上述のように折り畳みできるのみならず、不使用時には下側材を床面に対して移動することにより、椅子全体を、より邪魔にならない位置まで移動することができる。
【発明の効果】
【００１１】
本発明の折り畳み式椅子は、
（イ）単純な構造で、コンパクトに構成することができる、
（ロ）下側材を床面に対して移動可能とすることにより、単に折り畳みできるのみならず、不使用時にはより邪魔にならない位置に移動することもできる、
等の優れた効果を得られるものである。
【発明を実施するための最良の形態】
【００１２】
以下、本発明を図面に示す実施例に基づいて説明する。
【実施例１】
【００１３】
図１〜７は本発明の実施例１を示している。折り畳み式椅子１のベース２は小型船舶等の床面３に固定されるようになっている。前記ベース２には支柱パイプ４が上下方向に延びるように固定立設されており、この支柱パイプ４内に内蔵されたガスシリンダ（図示せず）のロッド５の上端部には、該ロッド５と軸線を一致させて、下側材６が固定されている。これにより、この下側材６も上下方向に立設されている。前記下側材６は上端６ａを斜め４５度に切断された円筒状をなしている。本実施例では、前記下側材６の上端６ａは、該下側材６の軸線に対し４５度傾斜した楕円形状の天井面部７により構成されている。上側材８は、その一端８ａを斜め４５度に切断された円筒状をなしている。本実施例では、前記上側材８の前記一端８ａは、該上側材８の軸線に対し４５度傾斜した楕円形状の底面部９により構成されている。
【００１４】
前記下側材６と上側材８とは、天井面部７（すなわち、下側材６の上端６ａ）の中心および底面部９（すなわち、上側材８の一端８ａ）の中心を通過するとともに天井面部７および底面部９に対し垂直方向に延びる回転軸１０（図３，４，７参照）を中心として、相対的に回転可能、かつ天井面部７および底面部９を互いに摺接されるようにして結合されている。これにより、上側材８は下側材６に、上下方向に対し４５度傾いた軸線（回転軸１０）回りに回転可能に結合されている。
【００１５】
前記天井面部７には、下側材６の軸線に対し垂直方向に丸穴状の第一の回転止め穴１１が貫通されるとともに、下側材６の軸線と平行方向に丸穴状の第二の回転止め穴１２が貫通されている。前記底面部９には、上側材８の軸線と平行方向に丸穴状の棒挿通穴１３が貫通されている。図３および４に示されるように、上側材８の軸線が下側材６の軸線に対し直角をなしているときは、棒挿通穴１３と第一の回転止め穴１１の位置が互いに一致した状態となる一方、図７に示されるように上側材８の軸線と下側材６の軸線とが互いに一致した状態となっているときは、棒挿通穴１３と第二の回転止め穴１２の位置が互いに一致した状態となるようになっている。これにより、上側材８の軸線が上下方向に対し直角方向に延びているときは、棒挿通穴１３と第一の回転止め穴１１の位置が互いに一致した状態になる一方、上側材８の軸線が上下方向に延びているときは、棒挿通穴１３と第二の回転止め穴１２の位置が互いに一致した状態になるようになっている。
【００１６】
前記上側材８の他端には蓋材１４が固定されている。この蓋材１４には、上側材８の軸線と垂直方向に丸穴状の棒支持穴１５が貫通されている。前記蓋材１４の棒支持穴１５には回転止め棒１６が、上側材８の軸線と平行方向に移動可能に挿通されている。前記回転止め棒１６の一端部は、ノブ１６ａとされており、このノブ１６ａは常に蓋材１４より外部に突出するようにされている。前記回転止め棒１６のノブ１６ａ以外の部分は丸棒状をなしており、棒挿通穴１３並びに第一および第二の回転止め穴１１，１２より僅かに小さい径とされている。前記回転止め棒１６の中間部には、ピン１７が該棒１６の径方向に貫通した状態で固定されている。前記ピン１７と蓋材１４との間には圧縮コイルばね１８が介装されており、このばね１８は回転止め棒１６を上側材８の底面部９側および下側材６の天井面部９に向かって付勢している。
【００１７】
前記上側材８の側部には座面１９が取り付けられている。図１〜３に示されるように、上側材８の軸線が下側材６の軸線に対し直角をなしているとき、言い換えれば、上側材８の軸線が上下方向に対し直角方向に延びているとき、座面１９は座ることが可能になる着座可能姿勢、すなわちほぼ水平に広がる姿勢となっている。前記座面１９には、背もたれ２０が従来公知の構造により矢印で示すように座面１９に対し折り畳み可能に設けられている（図面が繁雑になって本発明の理解が困難にならないようにするため、背もたれ２０は、図１および５においてのみ一点鎖線および二点鎖線で示している）。
【００１８】
なお、前記ロッド５はベース３に対して自己の軸線回りに回転できる。したがって、下側材６ひいては上側材８および座面１９は、ベース３に対してロッド５および下側材６の軸線回りに回転できる。
【００１９】
次に、本実施例の作動を説明する。この椅子１を使用するときは、図１〜３に示されるように、上側材８の軸線が下側材６の軸線に対し直角をなす状態、言い換えれば、上側材８の軸線が上下方向に対し直角方向に延びている状態とし、座面１９を着座可能姿勢とする。この状態では、図３に示されるように、棒挿通穴１３と第一の回転止め穴１１の位置が互いに一致した状態になっているので、引き抜き方向に力を作用しない限り、回転止め棒１６はばね１８の力により棒挿通穴１３および第一の回転止め穴１１に挿入された状態となっている（なお、このとき、ノブ１６ａが蓋材１４の外面に当接し、回転止め棒１６はそれ以上深く上側材８内に侵入しないようになっている）。したがって、これにより、下側材６に対し上側材８は回転できず、固定された状態になっており、ひいては座面１９は着座可能姿勢に保持されている。このため、図１の一点鎖線位置で示されるように、背もたれ２０を起こした状態とすることにより、椅子１に座ることができる。
【００２０】
他方、椅子１を折り畳みたいときは、背もたれ２０を図１の二点鎖線位置で示されるように座面１９側に倒した後、ノブ１６ａを図４の矢印Ｃで示されように引っ張ることにより、図４に示されるようにばね１８に抗して回転止め棒１６を少なくとも第一の回転止め穴１１から引き抜く（図４は、第一の回転止め穴１１のみならず棒挿通穴１３からも回転止め棒１６を引き抜いた状態を示している）。これにより、上側材８が下側材６に対し回転できるようになるので、引き続きノブ１６ａを掴んだまま、図４の矢印Ｄで示されように、図５〜７のように上側材８の軸線が下側材６の軸線と一致するまで（すなわち、上側材８の軸線が上下方向になるまで）、上側材８を下側材６に対し回転軸１０回りに回転させる。すると、座面１９は着座可能姿勢に対し直角をなす折り畳み姿勢、すなわちほぼ鉛直に広がる姿勢となる。そして、棒挿通穴１３および第二の回転止め穴１２の位置が互いに一致した状態となるので、ノブ１６ａから手を離せば、図７のように回転止め棒１６はばね１８の力により棒挿通穴１３および第二の回転止め穴１２に挿入された状態となり、今度はこの状態において上側材８は下側材６に対し回転できず、固定された状態となり、ひいては座面１９は折り畳み姿勢に保持される。
【００２１】
再び、使用したいときは、ばね１８に抗してノブ１６ａを引っ張ることにより、回転止め棒１６を少なくとも第二の回転止め穴１２から引き抜き、引き続きノブ１６ａを掴んだまま、上側材８を下側材６に対し回転軸１０回りに回転させることにより、図１〜３に示されるように上側材８の軸線が下側材６の軸線に対し直角になるまで（すなわち、上側材８の軸線が上下方向に対し直角方向になるまで）回動させる。すると、座面１９は再び着座可能姿勢となり、続いてノブ１６ａから手を離せば、図３のように回転止め棒１６はばね１８の力により棒挿通穴１３および第一の回転止め穴１１に挿入された状態となり、座面１９は着座可能姿勢に保持される。したがって、図１の一点鎖線位置で示されるように背もたれ２０を起こした状態とすることにより、椅子１に座ることができる。
【００２２】
以上のように、この折り畳み式椅子１は、単純な構造でコンパクトに構成することができる。
【００２３】
また、本実施例においては、下側材６の上端６ａと上側材８の一端８ａとが互いに摺接されているので、下側材６と上側材８との結合部に大きな荷重を負担させやすい。なお、本実施例においては、下側材６の上端６ａおよび上側材８の一端８ａがともに平面状となっているが、下側材６の上端６ａおよび上側材８の一端８ａにそれぞれ円状に段差を設け、これらの段差が互いに嵌合した状態で摺接するようにすれば、下側材６と上側材８との結合部により大きな荷重を負担させることが可能になる。
【００２４】
なお、本実施例では、下側材６の軸線に対し上側材８の軸線が直角をなしているとき、言い換えれば、上側材８の軸線が上下方向に対し直角方向に延びているときに座面１９が着座可能姿勢となる一方、上側材６および下側材８の軸線が互いに一致した状態となっているとき、言い換えれば、上側材８の軸線が上下方向に延びているときに折り畳み姿勢になるようになっているが、逆に下側材６の軸線に対し上側材８の軸線が直角をなしているときに折り畳み姿勢となる一方、上側材６および下側材８の軸線が互いに一致した状態となっているときに座面１９が着座可能姿勢になるようにすることも可能である。
【００２５】
また、本実施例では、上側材６および下側材８が円筒状をなしているが、本発明においては、上側材および下側材は、横断面四角形、三角形、多角形等の円筒状以外の形状としてもよいし、断面形状が部分によって異なる形状としてもよい。
【実施例２】
【００２６】
図８および９は、本発明の実施例２を示している。本実施例においては、小型船舶等の壁２１際の部分には、アーム２２の基端部が、アーム回転軸２３を中心として床面３と平行な面内において回動可能に支持されている。前記アーム２２の先端部には、前記実施例１と同様の椅子１のベース２が取り付けられている。ただし、本実施例の場合、前記ベース２の底面側にはキャスタ２４が取り付けられており、アーム２２が回動されると、それに伴ってベース２、ひいては下側材６を含む椅子１全体が、キャスタ２４を転動させながら床面３上を移動するようになっている。
【００２７】
本実施例においては、使用時には、図８および図９の実線位置で示されるように椅子１を壁２１から離れた位置に位置させた後、その位置で座面１９を使用可能姿勢にして使用することができる。他方、不使用時には、図８，９のように座面１９および背もたれ２０を折り畳んだ後、矢印Ａのようにアーム２２を椅子１とともに回動して、図９の一点鎖線位置で示されるように椅子１を壁２１際まで移動することにより、椅子１を、より邪魔にならない位置まで移動することもできる（この際、座面１９は矢印Ｂのように適当にベース２に対して回転する）。
【００２８】
なお、本実施例においては、椅子１が円状の軌跡を描いて移動されるようにしているが、直線状等の軌跡を描いて移動されるようにしてもよい。
本発明は、漁船、レジャーボート等の小型船舶もみならず、パチンコ店、飲食店等の他の分野の椅子にも適用できるものである。
【００２９】
また、本発明においては、背もたれは必ずしも必要ではない。
【産業上の利用可能性】
【００３０】
以上のように本発明による折り畳み式椅子は、漁船、レジャーボート等の小型船舶、パチンコ店、飲食店等の椅子として有用である。
【図面の簡単な説明】
【００３１】
【図１】本発明による折り畳み式椅子の実施例１を着座可能状態において示す側面図である。
【図２】前記実施例１を着座可能状態において示す背面図である。
【図３】前記実施例１の要部を着座可能状態において示す部分断面図である。
【図４】前記実施例１の要部を着座可能状態から回転止め棒を引っ張った状態において示す部分断面図である。
【図５】前記実施例１を折り畳み状態において示す側面図である。
【図６】前記実施例１を折り畳み状態において示す背面図である。
【図７】前記実施例１の要部を折り畳み状態において示す部分断面図である。
【図８】本発明の実施例２において椅子が使用位置にある状態を示す側面図である（ただし、折り畳み状態になっている）。
【図９】前記実施例２において椅子を使用位置から壁際の不使用位置に移動する様子を示す平面図である。
【符号の説明】
【００３２】
１    折り畳み式椅子
３    床面
６    下側材
６ａ  下側材の上端
７    天井面部
８    上側材
８ａ  上側材の一端
９    底面部
１０    回転軸
１１    第一の回転止め穴
１２    第二の回転止め穴
１３    棒挿通穴
１６    回転止め棒
１８    ばね
１９    座面
【図１】
2006247228.tif 000003
【図２】
2006247228.tif 000004
【図３】
2006247228.tif 000005
【図４】
2006247228.tif 000006
【図５】
2006247228.tif 000007
【図６】
2006247228.tif 000008
【図７】
2006247228.tif 000009
【図８】
2006247228.tif 000010
【図９】
2006247228.tif 000011